(57)【特許請求の範囲】
【請求項１】
クラウド監視制御装置において、
クラウドネットワークシステム、
該クラウドネットワークシステムに接続されたクラウドデータベース、
該クラウドデータベースは、データ保存モジュールを包含し、それは、基本検出モジュール、シリアルバスモジュール、アナログ入出力モジュール、デジタル入出力モジュールを介して提供された監視制御される環境の検出信号は、ゲートウエイコントロールユニットより該クラウドネットワークシステムを介して該クラウドデータベース中のデータ保存ユニットに伝送され、並びに定期的或いは不定期的に該監視制御される環境の検出信号を更新し、
さらに、該クラウドデータベースは、設備スイッチコントロール状態判断コントロールモジュールであって、それは該データ保存モジュール中の該監視制御される環境の検出信号を、該クラウドデータベースを経由して対比し、もし、該監視制御される環境の検出信号の異常監視制御パラメータ設定値を超過すれば、該クラウドデータベースよりコントロール信号を出力し、該クラウドネットワークシステムを介し、該ゲートウエイコントロールユニットを介し、対応する設備スイッチモジュールをコントロールし、もし、該監視制御される環境の検出信号の異常監視制御パラメータ設定値を超過しなければ、さらに続けて、該基本検出モジュール、該シリアルバスモジュール、該アナログ入出力モジュール、及び該デジタル入出力モジュールの該監視制御される環境の検出信号を、該クラウドデータベースに伝送し、該クラウドデータベースより、該監視制御される環境の検出信号の異常監視制御パラメータ設定値を超過するか否かを対比判断する、上記設備スイッチコントロール状態判断コントロールモジュールと、
更新モジュールであって、該ゲートウエイコントロールユニットのゲートウエイコントロールユニット通信モジュール、安全モジュールを同期して更新する、上記更新モジュールと、
バックアップモジュールであって、該クラウド監視制御装置のバックアップデータを提供する、上記バックアップモジュールと、
該クラウドネットワークシステムに接続された少なくとも一つのゲートウエイコントロールユニット、
該ゲートウエイコントロールユニットは、安全モジュールを包含し、該安全モジュールは、該クラウドネットワークシステムと該ゲートウエイコントロールユニットが接続中断する時、該設備スイッチコントロール状態判断コントロールモジュールは実行されず、該ゲートウエイコントロールユニットが安全モジュールのコントロール状態を提供し、その後、該基本検出モジュール、該シリアルバスモジュール、該アナログ入出力モジュール、該デジタル入出力モジュールの該監視制御される環境の検出信号は、僅かに該ゲートウエイコントロールユニットに送られ、該ゲートウエイコントロールユニットの判断により、該監視制御される環境の検出信号の異常監視制御パラメータ設定値より超過していれば、該ゲートウエイコントロールユニットより制御信号を出力し、対応する設備スイッチモジュール或いはＰＩＤ比例積分微分コントロールモジュールを制御し、並びにゲートウエイコントロールユニットがクラウドデータベースとの接続を失ったと判断した時に、アラームショートメッセージを発生して関係人員に伝え、対応する該設備スイッチモジュール或いはＰＩＤ比例積分微分コントロールモジュールを制御し、それに接続された全ての装置を予め設定された安全状態に進入させて、監視制御される環境が、各監視制御パラメータを所定の安定状態に維持できるようにし、もし、該監視制御される環境の検出信号の異常監視制御パラメータ設定値を超過していなければ、さらに続いて、該基本検出モジュール、該シリアルバスモジュール、該アナログ入出力モジュール、該デジタル入出力モジュールの該監視制御される環境の検出信号を、僅かに該ゲートウエイコントロールユニットに伝送し、該ゲートウエイコントロールユニットにより、該監視制御される環境の検出信号の異常監視制御パラメータ設定値を超過するか否かを判断し、
該クラウドデータベースに信号接続される少なくとも一つのモバイル装置、
該ゲートウエイコントロールユニットに信号接続される少なくとも一つの基本検出モジュール、
該ゲートウエイコントロールユニットに信号接続される少なくとも一つのシリアルバスモジュール、
該ゲートウエイコントロールユニットに信号接続される少なくとも一つのアナログ入出力モジュール、
該ゲートウエイコントロールユニットに信号接続される少なくとも一つのデジタル入出力モジュール、及び、
該クラウドデータベースに信号接続されるインターネットサービスプロバイダ、
を包含し、そのうち、該ゲートウエイコントロールユニット、該基本検出モジュール、該シリアルバスモジュール、該アナログ入出力モジュール、及び該デジタル入出力モジュールは、監視制御される環境中に位置し、
該ゲートウエイコントロールユニット、該基本検出モジュール、該シリアルバスモジュール、該アナログ入出力モジュール、及び該デジタル入出力モジュールは、少なくとも一つの監視制御パラメータを有することを特徴とする、クラウド監視制御装置。
【請求項２】
請求項１記載のクラウド監視制御装置において、該基本検出モジュールは、
該監視制御される環境の温度を検出する温度センサと、
該監視制御される環境の湿度を検出する湿度センサと、
該監視制御される環境の照度を検出する照度センサと、
を包含することを特徴とする、クラウド監視制御装置。
【請求項３】
請求項１記載のクラウド監視制御装置において、該シリアルバスモジュールは、４８５シリアルバスインタフェース、或いは４２２シリアルバスインタフェースであり、該４８５シリアルバスインタフェースは、４８５シリアルバスに対応する少なくとも一つの４８５入出力コントローラーに接続され、該４２２シリアルバスインタフェースは、４２２シリアルバスに対応する少なくとも一つの４２２入出力コントローラーに接続され、
そのうち、該少なくとも一つの４８５入出力コントローラー、及び少なくとも一つの４２２入出力コントローラーは、その制御する周辺設備が、
指紋識別カードリーダー、
アクセスコントロールＩＣカードセンサ、
重量記録器、
ＲＦＩＤ、
虹彩識別器、
雨量記録器、
移動物品流量記録器、及び、
温度コントローラー、
を包含することを特徴とする、クラウド監視制御装置。
【請求項４】
請求項１記載のクラウド監視制御装置において、該アナログ入出力モジュールは、
監視制御される環境の水質状況を検出する水質検出モジュール、
監視制御される環境の気体状況を検出する気体検出モジュール、
監視制御される環境の４ｍＡ〜２０ｍＡの電流状況を検出する電流検出モジュール、
監視制御される環境の０〜１０Ｖの電圧状況を検出する電圧検出モジュール、
監視制御される環境の−８０℃〜４００℃の温度状況を検出する特殊温度検出モジュール、
以上を包含し、そのうち、該水質検出モジュールは、
監視制御される環境の水質のアンモニア含有状況を検出するアンモニアセンサ、
監視制御される環境の水質の酸素含有状況を検出する溶解酸素センサ、
監視制御される環境の水質の酸アルカリ度状況を検出する酸アルカリ度センサ、
監視制御される環境の水質の導電度状況を検出する導電度センサ、及び、
監視制御される環境の水質の酸化還元度状況を検出する酸化還元度センサ、
以上を包含し、そのうち、該気体検出モジュールは、
監視制御される環境の二酸化炭素（ＣＯ2）状況を検出する二酸化炭素（ＣＯ2）センサ、及び、
監視制御される環境の一酸化炭素（ＣＯ）状況を検出する一酸化炭素（ＣＯ）センサ、  以上を包含することを特徴とする、クラウド監視制御装置。
【請求項５】
請求項１記載のクラウド監視制御装置において、該デジタル入出力モジュールは、
監視制御される環境の降雨状況を検出する雨滴センサ、
監視制御される環境の保全侵入状況を検出する赤外線センサ、
監視制御される環境の保全火災状況を検出する紫外線センサ、
監視制御される環境の保全火災状況を検出する濃煙センサ、
監視制御される環境のアクセスコントロールスイッチ状況を検出するリードセンサ、  監視制御される環境の電力中断状況を検出する電力中断センサ、
少なくとも一つ設備のスイッチをコントロールする、設備スイッチモジュール、
以上を包含し、そのうち、該設備スイッチモジュールが制御する該設備のスイッチは、  少なくとも一つのモーターのスイッチ、
少なくとも一つの冷凍空調のスイッチ、
少なくとも一つのファンのスイッチ、
少なくとも一つの水噴霧器のスイッチ、
少なくとも一つの水スクリーンのスイッチ、
少なくとも一つの照明のスイッチ、
少なくとも一つのヒーターのスイッチ、
少なくとも一つのスプリンクラーのスイッチ、及び、
少なくとも一つの雨避け棚のスイッチ、
以上を包含することを特徴とする、クラウド監視制御装置。
【請求項６】
請求項１記載のクラウド監視制御装置において、該クラウドデータベースは、
アラームショートメッセージ通知モジュールを包含し、該アラームショートメッセージ通知モジュールは、該データ保存モジュール中の該監視制御される環境の検出信号を、該クラウドデータベースを経由し対比し、異常があると判断すると、さらにインターネットサービスプロバイダを介してアラームショートメッセージを関係し接続された受信装置に伝え、監視制御される環境に対応する関係メインテナンス人員を経由し、ユーザーインタフェースを経由して関係メインテナンス人員をリストアップするか、或いは通信装置より信号を該受信装置に伝送し、正常と判断されれば、該データ保存モジュール中の該監視制御される環境の検出信号は続けて該クラウドデータベースを経由し対比判断されることを特徴とする、クラウド監視制御装置。
【請求項７】
請求項１記載のクラウド監視制御装置において、該ゲートウエイコントロールユニットは、
ゲートウエイコントロールユニット通信モジュールであって、有線通信線を提供するか、或いは無線方式で、通信ネットワークの目的を達成し、これにより該ゲートウエイコントロールユニットは、それぞれ該基本検出モジュール、該シリアルバスモジュール、該アナログ入出力モジュール、及び該デジタル入出力モジュールに有線接続された後、無線通信で不暗号化接続設定或いは暗号化接続設定を行ない、無線通信接続を形成した後、さらに、該有線通信線が除去され、その後に、該ゲートウエイコントロールユニットが、該基本検出モジュール、該シリアルバスモジュール、該アナログ入出力モジュール、該デジタル入出力モジュールに無線接続される、上記ゲートウエイコントロールユニット通信モジュール、
を包含することを特徴とする、クラウド監視制御装置。
【請求項８】
請求項１記載のクラウド監視制御装置において、該モバイル装置は、
表示ユニットと、
ユーザーインタフェースモジュールであって、データ保存モジュール中の、該監視制御される環境の検出信号及び該監視制御パラメータを、該表示ユニットに表示する、上記ユーザーインタフェースモジュールと、
認証モジュールであって、プロバイダーグループを介するか、或いはユーザークライアントグループが該認証モジュールにより認証確認された後、それぞれ対応する該ユーザーインタフェースモジュールに侵入する、上記認証モジュールと、
監視制御モジュールであって、それはプロバイダーグループを介して、該認証モジュールによる認証確認後に、該監視制御パラメータの設定調整を行なう、上記監視制御モジュールと、
異常警告モジュールであって、該データ保存モジュール中の、該監視制御される環境の検出信号及び該監視制御パラメータを、対比して異常を判断した後、異常信号を提供し、該表示ユニットに表示する、上記異常警告モジュールと、
経験公式化モジュールであって、養殖データベースを提供し、養殖効率をアップし、データ探知機能を有し、養殖導入の敷居を下げ、損失を減らし、並びに養殖無経験のクライアントの養殖経験パラメータを提供し、養殖密度を増し、理想温度曲線を制御し、設備の不必要な損耗を減らして省エネ目的を達成し、且つ管理効率と生産率をアップする、上記経験公式化モジュールと、
を包含することを特徴とする、クラウド監視制御装置。
【発明の詳細な説明】
【技術分野】
【０００１】
本発明は一種の監視制御装置に係り、特に、クラウドを有する監視制御システムに関する。
【背景技術】
【０００２】
周知の技術の監視制御装置は、僅かにセンサに接続されてそれを監視制御し、使用者は主動的にセンサの検出信号を受け取り、並びに監視制御される環境に異常があるか否かを人が判断し、監視制御される環境の異常状態を除去する。たとえば、監視制御される環境が養殖魚用水槽の水温である場合に、水温が低すぎると、空調設備を起動するか、或いはヒーターを起動して、水槽の水温を上げるが、水槽管理者にとっては、往々にして監視に時間がかかり、もし監視制御される環境が農場、牧場、漁場であって、養鶏場、牛舎、豚舎、水槽、或いは植物温室を同時に有している場合、監視制御される環境中の監視制御パラメータ、たとえば、温度、湿度、照度、保全パラメータ等は、いずれも環境に伴い、日夜不断に変換する。このため管理者にとって、管理に要するデータは十分に膨大で複雑となる。
【０００３】
周知の技術の養殖監視制御装置は、使用者がクラウドを介して養殖監視制御環境をコントロールできず、また、大半は、クラウドを介して、複雑な監視制御パラメータを整合して、使用者に、時間を節約し、労力を節約する管理を提供することはできず、これにより、周知の技術の養殖監視制御装置は、比較的多くの管理人力を投入する必要があり、監視制御される環境の生産効率をアップできなかった。
【０００４】
このほか、周知の技術の医療看護、駐車場、旅館、ビル、病院、学校、工場の監視制御装置は、監視制御センターにより監視制御するだけであり、クラウドを介してクラウドデータベースを結合してデータを整合し、及び、クラウドを介してモバイル装置のユーザーインターフェースモジュールを結合し、コントロールモジュールを提供し、遠方の監視制御される環境をコントロールすることはできなかった。
【発明の概要】
【発明が解決しようとする課題】
【０００５】
本発明は一種のクラウド監視制御装置を提供し、監視制御される環境中の監視制御パラメータを、クラウドを介して連結し、設備のスイッチコントロール状態、基本検出状態、シリアルバスを介して連結された装置状態、アナログ入出力モジュールを介して連結される装置状態、及びデジタル入出力モジュールを介して連結される装置状態を整合し、これによりデータ保存モジュール、アラームショートメッセージ通知モジュール、設備スイッチコントロール状態判断コントロールモジュール、ゲートウエイコントロールユニット通信モジュール、及び安全モジュールの遠方情報を、モバイル装置を介してそれぞれプロバイダーグループ、或いはユーザークライアントグループを介して、それぞれ認証モジュールにより、使用権限確認の後に、それぞれモバイル装置に対応するがユーザーインターフェースモジュールに進入し、モバイル装置をクラウドデータベースに接続し、該クラウドデータベースはクラウド監視制御装置のコントロールセンターである。該クラウドデータベースの他端は、クラウドを介して監視制御される環境中の基本検出モジュール、シリアルバスモジュール、アナログ入出力モジュール、デジタル入出力モジュールに接続されて、使用者に時間を節約し、労力を省き、高効率である管理を提供する。本発明のクラウド監視制御装置は、プロバイダーグループを整合するか、或いはクライアントグループが共同でクラウド監視制御装置を管理する。そのうち、基本検出状態は、たとえば、温度、湿度、照度である。そのうち、アナログ入出力状態は、たとえば、水質、気体、電流、電圧、及び特殊温度検出である。そのうち、デジタル入出力状態は、たとえば、雨滴、赤外線、紫外線、濃煙、磁気、電力中断等の検出状態、及び設備スイッチのコントロール状態である。
【課題を解決するための手段】
【０００６】
本発明の一つの実施例は、一種のクラウド監視制御装置を提供し、それは、クラウドネットワークシステム、クラウドデータベース、少なくとも一つのゲートウエイコントロールユニット、少なくとも一つのモバイル装置、少なくとも一つの基本検出モジュール、少なくとも一つのシリアルバスモジュール、少なくとも一つのアナログ入出力モジュール、少なくとも一つのデジタル入出力モジュール、及びインターネットサービスプロバイダを包含する。該クラウドデータベースは、該クラウドネットワークシステムに接続される。該ゲートウエイコントロールユニットは、該クラウドネットワークシステムに接続される。該モバイル装置は該クラウドネットワークシステムに信号接続される。該基本検出モジュールは該ゲートウエイコントロールユニットに信号接続される。該シリアルバスモジュールは該ゲートウエイコントロールユニットに信号接続される。該アナログ入出力モジュールは該ゲートウエイコントロールユニットに信号接続される。該デジタル入出力モジュールは該ゲートウエイコントロールユニットに信号接続される。該インターネットサービスプロバイダは該クラウドデータベースに信号接続される。該ゲートウエイコントロールユニット、該基本検出モジュール、該シリアルバスモジュール、該アナログ入出力モジュール、及び該デジタル入出力モジュールは、監視制御される環境の中に位置する。該ゲートウエイコントロールユニット、該基本検出モジュール、該シリアルバスモジュール、該アナログ入出力モジュール及び該デジタル入出力モジュールは少なくとも一つの監視制御パラメータを有する。
【発明の効果】
【０００７】
本発明は一種の監視制御装置に係り、特に、クラウドを有する監視制御システムを提供している。
【図面の簡単な説明】
【０００８】
【図１】本発明のクラウド監視制御装置の構造表示図である。
【図２】本発明の基本検出モジュールの構造表示図である。
【図３】本発明のアナログ入出力モジュールの構造表示図である。
【図４】本発明のデジタル入出力モジュールの構造表示図である。
【図５】本発明のデータ保存モジュールの表示図である。
【図６】本発明のアラームショートメッセージ通知モジュールの表示図である。
【図７】本発明の設備スイッチコントロール状態判断コントロールモジュールの表示図である。
【図８】本発明のゲートウエイコントロールユニット通信モジュールの表示図である。
【図９】本発明の安全モジュールの表示図である。
【発明を実施するための形態】
【０００９】
本発明のある実施例は、図１に示されるようであり、それは、一種のクラウド監視制御装置を提供するものである。本発明のクラウド監視制御装置は、クラウドネットワークシステム１２、クラウドデータベース１１、少なくとも一つのゲートウエイコントロールユニット２１、少なくとも一つのモバイル装置１３、少なくとも一つの基本検出モジュール２２、少なくとも一つのシリアルバスモジュール２３、少なくとも一つのアナログ入出力モジュール２４、少なくとも一つのデジタル入出力モジュール２５、及び、インターネットサービスプロバイダ５１を包含する。
【００１０】
そのうち、該クラウドデータベース１１は、該クラウドネットワークシステム１２に接続される。該少なくとも一つのゲートウエイコントロールユニット２１は、該クラウドネットワークシステム１２に接続される。該少なくとも一つのモバイル装置１３は、該クラウドデータベース１１に接続される。該少なくとも一つの基本検出モジュール２２は、該ゲートウエイコントロールユニット２１に信号接続される。該少なくとも一つのシリアルバスモジュール２３は、該ゲートウエイコントロールユニット２１に信号接続される。該少なくとも一つのアナログ入出力モジュール２４は、該ゲートウエイコントロールユニット２１に信号接続される。該少なくとも一つのデジタル入出力モジュール２５は、該ゲートウエイコントロールユニット２１に信号接続される。該インターネットサービスプロバイダ５１は、該クラウドデータベース１１に信号接続される。
【００１１】
そのうち、該ゲートウエイコントロールユニット２１、該基本検出モジュール２２、該シリアルバスモジュール２３、該アナログ入出力モジュール２４、該デジタル入出力モジュール２５は、監視制御される環境３１中に位置する。
【００１２】
そのうち、該ゲートウエイコントロールユニット２１、該基本検出モジュール２２、該シリアルバスモジュール２３、該アナログ入出力モジュール２４、該デジタル入出力モジュール２５は、少なくとも一つの監視制御パラメータを有する。
【００１３】
本発明の該基本検出モジュール２２は、図２に示されるように、温度センサ２２１、湿度センサ２２２、及び照度センサ２２３を包含する。そのうち、該温度センサ２２１は、該監視制御される環境３１の温度を検出する。該湿度センサ２２２は、該監視制御される環境３１の湿度を検出する。及び該照度センサ２２３は、該監視制御される環境３１の照度を検出する。
【００１４】
本発明の該シリアルバスモジュール２３は、図２に示されるようであり、４８５シリアルバスインタフェース、或いは４２２シリアルバスインタフェースである。該４８５シリアルバスインタフェースは、４８５シリアルバスに対応する少なくとも一つの４８５入出力コントローラーに接続され、該４２２シリアルバスインタフェースは、４２２シリアルバスに対応する少なくとも一つの４２２入出力コントローラーに接続される。そのうち、該少なくとも一つの４８５入出力コントローラー、及び少なくとも一つの４２２入出力コントローラーは、その制御する周辺設備が、指紋識別カードリーダー２３１、アクセスコントロールＩＣカードセンサ２３２、重量記録器２３３、ＲＦＩＤ２３４、虹彩識別器２３５、雨量記録器２３６、移動物品流量記録器２３７、及び温度コントローラー２３８を包含する。
【００１５】
本発明の該アナログ入出力モジュール２４は、図３に示されるように、水質検出モジュール２４１、気体検出モジュール２４２、電流検出モジュール２４３、電圧検出モジュール２４４、及び特殊温度検出モジュール２４５、及びＰＩＤ比例積分微分コントロールモジュール２４６を包含する。そのうち、該水質検出モジュール２４１は、監視制御される環境３１の水質状況を検出する。該気体検出モジュール２４２は、該監視制御される環境３１の気体状況を検出する。該電流検出モジュール２４３は該監視制御される環境３１の、４ｍＡ〜２０ｍＡの電流状況を検出する。該電圧検出モジュール２４４は、該監視制御される環境３１の、０〜１０Ｖの電圧状況を検出する。該特殊温度検出モジュール２４５は、該監視制御される環境３１の、−８０℃〜４００℃の温度状況を検出する。及び、該ＰＩＤ比例積分微分コントロールモジュール２４６は、監視制御される環境３１を検出し、並びにそれぞれ比例、微分、積分方式より選択して対応する設備の出力パワー比率を制御し、監視制御される環境３１を安定させる。
【００１６】
本発明の該水質検出モジュール２４１は、図３に示されるようであり、それは、アンモニアセンサ２４１１、溶解酸素センサ２４１２、酸アルカリ度センサ２４１３、導電度センサ２４１４、及び酸化還元度センサ２４１５を包含する。そのうち、該アンモニアセンサ２４１１は、該監視制御される環境３１の水質のアンモニア含有状況を検出する。該溶解酸素センサ２４１２は、該監視制御される環境３１の水質の酸素含有状況を検出する。該酸アルカリ度センサ２４１３は、該監視制御される環境３１の水質の酸アルカリ度状況を検出する。該導電度センサ２４１４は、該監視制御される環境３１の水質の導電度状況を検出する。及び、該酸化還元度センサ２４１５は、該監視制御される環境３１の水質の酸化還元度状況を検出する。
【００１７】
本発明の該気体検出モジュール２４２は、図３に示されるようであり、それは、二酸化炭素（ＣＯ2）センサ２４２１、及び一酸化炭素（ＣＯ）センサ２４２２を包含する。そのうち、該二酸化炭素（ＣＯ2）センサ２４２１は、該監視制御される環境３１の二酸化炭素（ＣＯ2）状況を検出する。該一酸化炭素（ＣＯ）センサ２４２２は、該監視制御される環境３１の一酸化炭素（ＣＯ）状況を検出する。
【００１８】
本発明の該デジタル入出力モジュール２５は、図４に示されるようであり、それは、雨滴センサ２５１、赤外線センサ２５２、紫外線センサ２５３、濃煙センサ２５４、リードセンサ２５５、電力中断センサ２５６、及び設備スイッチモジュール２５７を包含する。そのうち、該雨滴センサ２５１は、該監視制御される環境３１の降雨状況を検出する。該赤外線センサ２５２は、該監視制御される環境３１の保全侵入状況を検出する。該紫外線センサ２５３は、該監視制御される環境３１の保全火災状況を検出する。該濃煙センサ２５４は、該監視制御される環境３１の保全火災状況を検出する。該リードセンサ２５５は、ドアロックスイッチ状況を検出する。該電力中断センサ２５６は、該監視制御される環境３１の電力中断状況を検出する。及び、該設備スイッチモジュール２５７は、少なくとも一つの設備のスイッチをコントロールする。
【００１９】
本発明の該設備スイッチモジュール２５７がコントロールする該設備のスイッチは、図４に示されるように、少なくとも一つのモーターのスイッチ２５７１、少なくとも一つの冷凍空調のスイッチ２５７２、少なくとも一つのファンのスイッチ２５７３、少なくとも一つの水噴霧器のスイッチ２５７４、少なくとも一つの水スクリーンのスイッチ２５７５、少なくとも一つの照明器具のスイッチ２５７６、少なくとも一つのヒーターのスイッチ２５７７、少なくとも一つのスプリンクラーのスイッチ２５７８、及び少なくとも一つの雨避け棚のスイッチ２５７９を包含する。モーターは水槽の水の吸い出しに用いられ、たとえば、汚染水質の水槽水を吸い出し、並びにきれいな水質の水槽水を水のなくなった水槽中に注入する。冷凍空調は該監視制御される環境３１の温度調節に用いられ、たとえば、孵卵環境温度の調節に基いられるか、深海海鮮類養殖用の低温水質環境調節に用いられる。或いは、降雨時に、雨避け棚を起動し、養鶏場が濡れるのを防止する。照明のスイッチ２５７６がオンされる時を制御することで、有効に日照植物の開花期をコントロールでき、有効に家禽の卵の生産率をコントロールできる。水噴霧器のスイッチ２５７４は、噴霧を発生して保湿し、温度を下げる効果を有し、暗く湿った環境でのキノコ類栽培の監視制御を助け、このほか温度を下げる効果により、夏の暑い環境下で、豚舎の監視制御を助ける。ファンは、監視制御される環境３１の温度の調整に用いられるほか、空気品質状態の調節にも使用され得る。スプリンクラーのスイッチ２５７８は、失火時の火災保全を提供し、また、豚の洗浄に用いられる。水スクリーンのスイッチ２５７５は、一種のネット状構造で、水流が該ネット状構造を通る時に、排気ファンにより導入された空気と水が熱交換して、空気の温度を下げ、同時に監視制御される環境３１の温度を調節する。
【００２０】
本発明の該クラウドデータベース１１は、データ保存モジュール１１１、アラームショートメッセージ通知モジュール１１２、及び設備スイッチコントロール状態判断コントロールモジュール１１３、更新モジュール１１４、及びバックアップモジュール１１５を包含する。
そのうち、該データ保存モジュール１１１は、図５に示されるように、該基本検出モジュール２２、該シリアルバスモジュール２３、該アナログ入出力モジュール２４、及び該デジタル入出力モジュール２５より送られた該監視制御される環境３１の検出信号が、該ゲートウエイコントロールユニット２１を介して、該監視制御される環境３１の検出信号を伝送して、該クラウドネットワークシステム１２を介し、該クラウドデータベース１１中のデータ保存ユニットに伝送されて、並びに定期或いは不定期に、該監視制御される環境３１の検出信号が更新される。
そのうち、該クラウドデータベース１１の該アラームショートメッセージ通知モジュール１１２は、図６に示されるように、該データ保存モジュール１１１中の該監視制御される環境３１の検出信号を、該クラウドデータベース１１の保存データと対比し、異常があると判断すると、インターネットサービスプロバイダ５１を介して、アラームショートメッセージを関係する接続された受信装置に伝送し、監視制御される環境３１の対応するメインテナンス人員に通知するか、ユーザーインタフェースによりメインテナンス人員をリストアップするか、或いは通信装置２６を介して信号を該受信装置に伝え、正常であると判断されれば、該データ保存モジュール１１１中の該監視制御される環境３１の検出信号を、続けて該クラウドデータベース１１のデータと対比する。
そのうち、該クラウドデータベース１１の該設備スイッチコントロール状態判断コントロールモジュール１１３は、図７に示されるように、該データ保存モジュール１１１中の該監視制御される環境３１の検出信号を、該クラウドデータベース１１を経由して対比し、もし、該監視制御される環境３１の検出信号の異常監視制御パラメータ設定値を超過すれば、該クラウドデータベース１１よりコントロール信号を出力し、該クラウドネットワークシステム１２を介し、さらに、該ゲートウエイコントロールユニット２１を介し、対応する該設備スイッチモジュール２５７をコントロールし、もし、該監視制御される環境３１の検出信号の異常監視制御パラメータ設定値を超過しなければ、さらに続けて、該基本検出モジュール２２、該シリアルバスモジュール２３、該アナログ入出力モジュール２４、及び該デジタル入出力モジュール２５の該監視制御される環境３１の検出信号を、該クラウドデータベース１１に伝送し、該クラウドデータベース１１より、該監視制御される環境３１の検出信号の異常監視制御パラメータ設定値を超過するか否かを対比判断する。該更新モジュール１１４は、該ゲートウエイコントロールユニット２１のゲートウエイコントロールユニット通信モジュール２１１、安全モジュール２１２を同期して更新し、該バックアップモジュール１１５は、該クラウド監視制御装置のバックアップデータを提供する。
【００２１】
本発明の該ゲートウエイコントロールユニット２１は、ゲートウエイコントロールユニット通信モジュール２１１及び安全モジュール２１２を包含する。
そのうち、該ゲートウエイコントロールユニット通信モジュール２１１は、図８に示されるように、有線通信線を提供するか、或いは無線方式で、通信ネットワークの目的を達成し、これにより該ゲートウエイコントロールユニット２１は、それぞれ該基本検出モジュール２２、該シリアルバスモジュール２３、該アナログ入出力モジュール２４、及び該デジタル入出力モジュール２５に有線接続された後、無線通信で不暗号化接続設定或いは暗号化接続設定を行ない、無線通信接続を形成した後、さらに、該有線通信線が除去され、その後に、該ゲートウエイコントロールユニット２１が、該基本検出モジュール２２、該シリアルバスモジュール２３、該アナログ入出力モジュール２４、該デジタル入出力モジュール２５に無線接続される。
そのうち、無線通信接続の協定は、Ｚｅｅｂｉｇ（登録商標）無線ネットワーク協定とされる。そのうち、安全モジュール２１２は、図９に示されるように、該クラウドネットワークシステム１２と該ゲートウエイコントロールユニット２１が接続中断する時、該設備スイッチコントロール状態判断コントロールモジュール１１３は実行されず、該ゲートウエイコントロールユニット２１が安全モジュール２１２のコントロール状態を提供し、その後、該基本検出モジュール２２、該シリアルバスモジュール２３、該アナログ入出力モジュール２４、該デジタル入出力モジュール２５の該監視制御される環境３１の検出信号は、僅かに該ゲートウエイコントロールユニット２１に送られ、該ゲートウエイコントロールユニット２１の判断により、該監視制御される環境３１の検出信号の異常監視制御パラメータ設定値より超過していれば、該ゲートウエイコントロールユニット２１より制御信号を出力し、対応する該設備スイッチモジュール２５７或いはＰＩＤ比例積分微分コントロールモジュール２４６を制御し、並びにゲートウエイコントロールユニット２１がクラウドデータベース１１との接続を失ったと判断した時に、該通信装置２６を利用してアラームショートメッセージを発生して関係人員に伝え、対応する該設備スイッチモジュール２５７或いはＰＩＤ比例積分微分コントロールモジュール２４６を制御し、それに接続された全ての装置を予め設定された安全状態に進入させて、監視制御される環境３１が、各監視制御パラメータを所定の安定状態に維持できるようにする。もし、該監視制御される環境３１の検出信号の異常監視制御パラメータ設定値を超過していなければ、さらに続いて、該基本検出モジュール２２、該シリアルバスモジュール２３、該アナログ入出力モジュール２４、該デジタル入出力モジュール２５の該監視制御される環境３１の検出信号を、僅かに該ゲートウエイコントロールユニット２１に伝送し、該ゲートウエイコントロールユニット２１により、該監視制御される環境３１の検出信号の異常監視制御パラメータ設定値を超過するか否かを判断する。
【００２２】
本発明のモバイル装置１３は、表示ユニット１３１、ユーザーインタフェースモジュール１３２、認証モジュール１３３、監視制御モジュール１３４、異常警告モジュール１３５及び経験公式化モジュール１３６を包含する。
該モバイル装置１３は、携帯電話、コンピュータアプリケーションプログラム、或いはウェブページのいずれか一種とされる。そのうち、該ユーザーインタフェースモジュール１３２は、データ保存モジュール１１１中、該監視制御される環境３１の検出信号及び該監視制御パラメータを、該表示ユニット１３１に表示し、該ユーザーインタフェースモジュール１３２は、一種のコントロールモジュールを提供し、遠方にあっても、該シリアルバスモジュール２３、該アナログ入出力モジュール２４、該デジタル入出力モジュール２５をコントロールできるようにする。
該認証モジュール１３３は、プロバイダーグループを介するか、或いはユーザークライアントグループが、それぞれ該認証モジュール１３３を介して認証確認した後、対応する該ユーザーインタフェースモジュール１３２にそれぞれ入る。該監視制御モジュール１３４はプロバイダーグループを介し、該認証モジュール１３３が認証確認した後、該監視制御モジュール１３４を介して、該監視制御パラメータを設定する。
該異常警告モジュール１３５は、該データ保存モジュール１１１中、該監視制御される環境３１の検出信号及び該監視制御パラメータを、対比して異常と判断すると、異常アラームモジュールにより異常信号を提供し、該表示ユニット１３１に表示する。
該経験公式化モジュール１３６は、養殖データベースを提供し、養殖効率をアップし、データ探査を有し、養殖入門の敷居を低くし、損失を減らし、養殖経験のないクライアントの養殖経験パラメータを提供し、たとえば、一リットル当たりの薬剤、或いは飼料の比率を提供し、さらに養殖密度を増加し、管理効率と生産率をアップし、並びに生長曲線、温度曲線、湿度曲線、照度曲線を記録し、電力使用量を分析し、雛の生存率等の対応データを対比し、これにより養殖策略を調整し、飼料配合を改善し、投薬頻度を調整し、養殖パラメータを改善並びにコントロールし、並びに薬物の使用をコントロールし、節電を達成し、生存率をアップし、及び養殖品質をアップする。
【００２３】
本発明のデジタル入出力モジュール２５は、上述のスイッチのコントロールに限定されず、これにより、デジタル入出力モジュールがコントロールする該設備のスイッチは、さらに、ビデオレコーダーのスイッチ、ビデオプレイヤーのスイッチ、オーディオビデオレコーダーのスイッチ、オーディオビデオプレイヤーのスイッチ、ディスク式ビデオプレイヤーのスイッチ、テープ式ディスクプレイヤーのスイッチ、カード式ビデオレコーダーのスイッチ、ディスク式ビデオレコーダーのスイッチ、テレビジョンのスイッチ、スピーカーのスイッチ、ステレオのスイッチ、コンピュータスピーカーのスイッチ、増幅器のスイッチ、液晶テレビジョンのスイッチ、セットトップボックスのスイッチ、ＦＭラジオのスイッチ、デジタルフォトフレームのスイッチ、フラッシュのスイッチ、カメラのスイッチ、幻灯機のスイッチ、プロジェクターのスイッチ、コンピュータ液晶ディスプレイのスイッチ、コンピュータディスプレイのスイッチ、コンピュータのスイッチ、パーソナルコンピュータのスイッチ、ネットワークサーバーのスイッチ、秤、デジタル秤、自動指示バネ秤、体重計、精密天秤、電気機械器具のスイッチを包含する。
それが使用する該設備のスイッチは、コンピュータ冷却ファン、ランプ点滅コントローラー、交流直流電圧変換器、ブザー、タイマー、エアバルブ、恒温器、恒湿器、オゾン発生器、自動ドア開閉コントローラー、液体センサ、液体ディテクター、フラッシュコントローラー、光電センサ、光電ディテクター、赤外線感熱検出器、リード式開閉スイッチ、ヒューズスイッチ、電磁ロックスイッチ、ランプコントローラー、リードロックスイッチ、タッチスイッチ、リミットスイッチマイクロウエーブセンサ、押しボタンスイッチ、マイクロスイッチ、近接スイッチ、温度スイッチ、光電スイッチ、電池充電器、コイン式駐車場ゲート装置、自動回転ゲート装置、電動式ドア開閉器、電磁弁、電磁案内バルブ、デジタル警報機、警報機、デジタル滅光器、リモートコントロール設備、固態リレー、自動販売機、販売機、発電所、電子ロック、電気式盗難防止ロック、医療用電源供給器、アンサリングマシン、ソルダリング用烙鉄、ソルダリング用クランプ、ソルダリングガン、ソルダリング用烙鉄ヘッド、アーク切削設備、スイッチ、リレー、配電盤、消防ポンプマシン、消防スプリンクラー、火災警報ランプ、火炎センサ、火炎ディテクター、火炎警報機、熱センサ、煙霧アラーム、自動消火排煙機、手動火災発信機、火災自動感温警報機、ガス警報機、ガスセンサ、ガスディテクター、煙霧センサ、煙霧ディテクター、地震警報機、消防放水システム、交通信号ランプ、交通標識、信号灯、発光或いは機械信号標識、警笛、発光信号ランプ標識、警告表示器具を包含する。
【００２４】
本発明のアナログ入出力モジュール２４及びシリアルバスモジュール２３は並びに上述の水質検出モジュール２４１、気体検出モジュール２４２、電流検出モジュール２４３、電圧検出モジュール２４４、及び特殊温度検出モジュール２４５、及びＰＩＤ比例積分微分コントロールモジュール２４６或いは指紋識別カードリーダー２３１、アクセスコントロールＩＣカードセンサ２３２、重量記録器２３３、ＲＦＩＤ２３４、虹彩識別器２３５、雨量記録器２３６、移動物品流量記録器２３７、及び温度コントローラー２３８に限定されて接続されるわけではない。
該設備に接続可能な装置はさらに、走行距離メーター、傾斜メーター、高度メーター、マイクロメーター、カーソルメーター、長さメーター、経緯儀、水平儀、水準儀、角度計、電子測距儀、比例撮像器、カーソル測径計、船向測定器、回転偏差計、唱頭角度校正器、展開図用測量器具、物料高度指示器、温度計、カロリー計、油温計、圧力計、真空表、速度表、風向儀、指南針、密度計、測圧計、回転計、回転数計、液位計、流速計、気圧計、硬度計、空圧表、比重計、気体比重計、酸液比重計、水位計、深度計、雨量計、風速計、タイヤ圧計、タイヤバランサー、真空計、自動定量計、圧力指示器、液柱計圧表、張力測定計、静力水平測量器、振動水平測量器、走行距離料金表、交通工具走行距離記録器、自転車用速度メーター、引張り力計、電気メーター、電気メーターボックス、電圧メーター、抵抗計、電流計、アンペア計、マルチメーター、電気伝導度計、デジタル微量測定器、エレクトロマシン水平測量器、電力システム位相計、微量電流オーム計、オーム表、自動車電気回路測定器、パワー因子表、電流量測定計、電気負荷測量計、抵抗計、スペクトル分析計、アナログネットワーク分析儀、剛性ネットワーク分析器、周波数計、周波数測定器、水平検波器、揺動波形分析器、低周波波形分析器、レベル計、ソナー受信器、音レベル計、ソナー魚群探知機、ソナー深度探知機、信号雑音対比計、光度計、光密度計、分光器、測光計、蛍光計、蛍光スペクトル計、水メーター、測量筒、測量カップ、測量管、測量ボトル、ガスメーター、羅針盤、計球器、海洋深度測定器、中心点機、位置測定器、自動車用メーター、スタンプ計数器、ガス漏れ測定器、ガス流量指示器、岩層変位測定儀、透水ガス率測量器、燃料フローレート指示器、凝固点の測量計、棒針太さ測量器、液面高度測量計、エネルギー消耗測量機、水中懸浮固体測量計、ラケットガット調整測量器、マルチチャンネル粒子サイズ測量器、アルコールメーター、ガソリンメーター、乳脂肪計、冷媒計、自動比濁計、酸素ガス濃度計、排ガス測定計、酸素ガスディテクター、粘度計、用損酸素量測定器、酸アルカリ度測定プローブ、最大酸素ガス測量計、酸アルカリ値温度共測定器、変圧器絶縁油中含有ガスの分析儀、交流電力電位計、偏光計、輻射計、油量メーター、油量表、計数器、光学測距器、回転速度計、パワー表、音量表、湿度表、測計表、漏れ検出器、油圧表、導電度計、圧力指示器、流量計、濃度計、高度計、身長器、プローブ、ガス計、ボルト計、デシベル計、液体計量メーター、張力表、金属検知器、冷媒計、電圧プローブペン、パルプねんちょう計、ガスメーター（測定機器）、重量測定計、ポンプメーター、ゴルフボール角度測定器、厚さ計、紫外線強度計、微量水銀計、加速度計、光束計、回路計、屈折率計、面積計、容量計、振動計、液面計、温度湿度指示メーター、測距儀、水温表、三次元座標測定儀、アルコール濃度測量器、騒音計、赤道儀、デジタル脈拍測定器、比流計、タイヤ校正器、幅測定器、千分表、引力儀、百分表、電位計、方位儀、測量棒、方向儀、測振器、測標計、駐車計時収費表、水質分析機、電気容量計、インダクタンス計、水圧表、墨斗、六分儀、測量ロープ、照準儀、コンパウンドゲージ、回路自動測定器、計歩計、色彩計、測酸計、電池用測酸計、空気分析儀器、アルコール比重計、食品分析儀、校準口径リング、測量用チェーン、弁用圧力指示器プラグ、アルコール含量計、線計数器、計量儀表、測距設備、漏電指示器、電損指示器、電気測量儀器、車両走行距離メーター、平衡儀器、測力計、気体検出儀、水準器、測定ロッド、測角器、勾配指示器、勾配測定儀、傾斜指示器、速度指示器、精密測量儀器、光学儀器用測微ボルト、八分儀、皮厚測量儀器、分度器、非医療用温度計、科学用プローブ、音波定位儀器、球径計、剤量計、水脈探知棒、探知器、車速測量器、露光表、数量指示器、偽札検出器、比較測定儀、距離記録儀器、気象気球、郵便物検査装置、郵便物検査器、数値孔計器、汎用振動測定器、キャパシタンス測定儀、材料検査儀器、材料検査機器、引っ張り力測定機、材料試験機、回路試験器、集積回路テスター、冷熱衝撃試験器、キャブレター試験台、平面度試験器、デジタル引っ張り力試験器、電子機械の振動測定器、線形回路測定器、鉄粉濃度測定器、ロジック回路試験器、空気流動試験器、インダクタンスキャパシタンス抵抗試験器、音波応答測定器、時計用試験器、引っ張り強さ試験器、動態電子負荷測定器、混合式集積回路自動検査器、絶縁耐圧試験器、酸アルカリ度試験器、緯糸切断検出器、交流磁束検出器、印刷回路板自動測定器、同期試験メーター、室内光度測定儀、硬度試験機、立体拡大器自動測定器、光源対色検査儀、金属反応測定儀、車両修理工場試験台、経糸検出器、測定測量に用いられるシュミレーター、引っ張り力試験機、偏り測定器、自動車コンピュータ測定機器、耐圧試験機、ダイオード検出器、自動光学検出器、紙幣鑑定機、ソルダリング免除回路設計試験板、漏電検出器、風向バッグ、鉛錘、測量用鉛錘、深さ測定鉛錘、鉛錘線、気象儀器、航海装置、航海儀器、測量用計算盤、放射量測定器、パワーメーター、気体分析器、乳比重計、メーター、偏振計、高温計、糖度計、塩分計、ボルト計、亜硫酸塩測定計、織物分析器、尿比重計、波長計、観星儀、気象データ分析処理儀、海洋データ分析処理儀、検波器、検波器用方鉛結晶体、化学装置、化学儀器、平板儀、光量計、宇宙学儀器、物理学装置、物理学儀器、海洋深さ測定器、深さ測定ロープ、検乳器、ガス検出器、煙霧センサー、煙霧ディテクター、酸素ガスディテクター、アンモニアガスディテクター、人体に対して有害なガスの検出器等を包含する。
【００２５】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００２６】
１１  クラウドデータベース
１１１  データ保存モジュール
１１２  アラームショートメッセージ通知モジュール
１１３  設備スイッチコントロール状態判断コントロールモジュール
１１４  更新モジュール
１１５  バックアップモジュール
１２  クラウドネットワークシステム
１３  モバイル装置
１３１  表示ユニット
１３２  ユーザーインタフェースモジュール
１３３  認証モジュール
１３４  監視制御モジュール
１３５  異常警告モジュール
１３６  経験公式化モジュール
２１  ゲートウエイコントロールユニット
２１１  ゲートウエイコントロールユニット通信モジュール
２１２  安全モジュール
２２  基本検出モジュール
２２１  温度センサ
２２２  湿度センサ
２２３  照度センサ
２３  シリアルバスモジュール
２３１  指紋識別カードリーダー
２３２  アクセスコントロールＩＣカードセンサ
２３３  重量記録器
２３４  ＲＦＩＤ
２３５  虹彩識別器
２３６  雨量記録器
２３７  移動物品流量記録器
２３８  温度コントローラー
２４  アナログ入出力モジュール
２４１  水質検出モジュール
２４１１  アンモニアセンサ
２４１２  溶解酸素センサ
２４１３  酸アルカリ度センサ
２４１４  導電度センサ
２４１５  酸化還元度センサ
２４２  気体検出モジュール
２４２１  二酸化炭素（ＣＯ2）センサ
２４２２  一酸化炭素（ＣＯ）センサ
２４３  電流検出モジュール
２４４  電圧検出モジュール
２４５  特殊温度検出モジュール
２４６  ＰＩＤ比例積分微分コントロールモジュール
２５  デジタル入出力モジュール
２５１  雨滴センサ
２５２  赤外線センサ
２５３  紫外線センサ
２５４  濃煙センサ
２５５  リードセンサ
２５６  電力中断センサ
２５７  設備スイッチモジュール
２５７１  モーターのスイッチ
２５７２  冷凍空調のスイッチ
２５７３  ファンのスイッチ
２５７４  水噴霧器のスイッチ
２５７５  水スクリーンのスイッチ
２５７６  照明のスイッチ
２５７７  ヒーターのスイッチ
２５７８  スプリンクラーのスイッチ
２５７９  雨避け棚のスイッチ
２６  通信装置
３１  監視制御される環境
５１  インターネットサービスプロバイダ
【図１】
0006005078.tif 000002
【図２】
0006005078.tif 000003
【図３】
0006005078.tif 000004
【図４】
0006005078.tif 000005
【図５】
0006005078.tif 000006
【図６】
0006005078.tif 000007
【図７】
0006005078.tif 000008
【図８】
0006005078.tif 000009
【図９】
0006005078.tif 000010